(57)【特許請求の範囲】
【請求項１】
記録媒体にインクジェット記録用水性イエローインク、インクジェット記録用水性マゼンタインク及びインクジェット記録用水性シアンインクを重ね打ちして記録するインクジェット記録方法であって、
前記水性イエローインクが、イエロー着色剤、水及び水溶性有機溶剤を含み、
前記水性マゼンタインクが、マゼンタ着色剤、水及び水溶性有機溶剤を含み、
前記水性シアンインクが、シアン着色剤、水及び水溶性有機溶剤を含み、
前記イエロー着色剤は、化学式（Ｙａ）で表される化合物、化学式（Ｙｂ）で表される化合物、化学式（Ｙｃ）で表される化合物、化学式（Ｙｄ）で表される化合物、及び、化学式（Ｙｅ）で表される化合物からなる群から選択される少なくとも一つの化合物を含み、
前記マゼンタ着色剤は、化学式（Ｍ１ａ）で表される化合物、化学式（Ｍ１ｂ）で表される化合物、化学式（Ｍ２ａ）で表される化合物、化学式（Ｍ２ｂ）で表される化合物、化学式（Ｍ２ｃ）で表される化合物、化学式（Ｍ２ｄ）で表される化合物、化学式（Ｍ２ｅ）で表される化合物、化学式（Ｍ３ａ）で表される化合物、化学式（Ｍ３ｂ）で表される化合物、化学式（Ｍ３ｃ）で表される化合物、化学式（Ｍ３ｄ）で表される化合物、化学式（Ｍ３ｅ）で表される化合物、及び、化学式（Ｍ３ｆ）で表される化合物からなる群から選択される少なくとも一つの化合物を含み、
前記シアン着色剤は、化学式（Ｃａ）で表される化合物、化学式（Ｃｂ）で表される化合物、化学式（Ｃｃ）で表される化合物、化学式（Ｃｄ）で表される化合物、及び、化学式（Ｃｅ）で表される化合物からなる群から選択される少なくとも一つの化合物を含み、
下記条件（Ｉ）及び下記条件（ＩＩ）の少なくとも一方の条件を満足するように、前記水性イエローインク、前記水性マゼンタインク及び前記水性シアンインクを重ね打ちすることを特徴とするインクジェット記録方法。
条件（Ｉ）：重ね打ちする前記水性イエローインク、前記水性マゼンタインク及び前記水性シアンインクにおいて、カチオン性ポリマーを含まない組成での下記判定により決定したマイグレーションレベルが最大の水性インクが、カチオン性ポリマーを含む。
条件（ＩＩ）：重ね打ちする前記水性イエローインク、前記水性マゼンタインク及び前記水性シアンインクにおいて、カチオン性ポリマーを含まない組成での下記判定により決定したマイグレーションレベルが最大の水性インクより前又は同時に前記記録媒体に到達する水性インクが、カチオン性ポリマーを含む。
＜マイグレーションレベル判定＞
前記条件（Ｉ）及び前記条件（ＩＩ）において、マイグレーションレベルは、温度１８℃、相対湿度８０％の環境下で、空隙型のレジンコート層を有する光沢紙に前記水性インクを用いて形成した幅が２、４、６、８、１０、１２、１４、１６、１８、２０、２２、２４、２６、２８及び３０ドットのスリットが入った１５個のパッチを前記環境下で３日間保存した後の、前記スリットが連続した白地のラインとして判定されるか否かを判定することで下記評価基準に従って決定する。
＜マイグレーションレベル評価基準＞
前記スリットが連続した白地のラインとして判定されれば、合格とする
レベル１：スリット幅２ドットのパッチで最初に合格となる
レベル２：スリット幅４ドットのパッチで最初に合格となる
レベル３：スリット幅６ドットのパッチで最初に合格となる
レベル４：スリット幅８ドットのパッチで最初に合格となる
レベル５：スリット幅１０ドットのパッチで最初に合格となる
レベル６：スリット幅１２ドットのパッチで最初に合格となる
レベル７：スリット幅１４ドットのパッチで最初に合格となる
レベル８：スリット幅１６ドットのパッチで最初に合格となる
レベル９：スリット幅１８ドットのパッチで最初に合格となる
レベル１０：スリット幅２０ドットのパッチで最初に合格となる
レベル１１：スリット幅２２ドットのパッチで最初に合格となる
レベル１２：スリット幅２４ドットのパッチで最初に合格となる
レベル１３：スリット幅２６ドットのパッチで最初に合格となる
レベル１４：スリット幅２８ドットのパッチで最初に合格となる
レベル１５：スリット幅３０ドットのパッチで最初に合格となる
レベル１６：スリット幅３０ドットのパッチでも合格とならない
【化１】
0005751529.tif 000034
【化２】
0005751529.tif 000035
【化３】
0005751529.tif 000036
【化４】
0005751529.tif 000037
【化５】
0005751529.tif 000038
【化６】
0005751529.tif 000039
【化７】
0005751529.tif 000040
【化８】
0005751529.tif 000041
【化９】
0005751529.tif 000042
【化１０】
0005751529.tif 000043
【化１１】
0005751529.tif 000044
【化１２】
0005751529.tif 000045
【化１３】
0005751529.tif 000046
【化１４】
0005751529.tif 000047
【化１５】
0005751529.tif 000048
【化１６】
0005751529.tif 000049
【化１７】
0005751529.tif 000050
【化１８】
0005751529.tif 000051
【化１９】
0005751529.tif 000052
【化２０】
0005751529.tif 000053
【化２１】
0005751529.tif 000054
【化２２】
0005751529.tif 000055
【化２３】
0005751529.tif 000056
化学式（Ｙａ）〜（Ｙｅ）及び化学式（Ｍ３ａ）〜（Ｍ３ｆ）において、−Ｃ４Ｈ９（ｔ）は、ｔｅｒｔ−ブチル基であり、
化学式（Ｃａ）〜（Ｃｅ）において、Ｐｃ（Ｃｕ）は、一般式（Ｐｃ）で表される銅フタロシアニン核であり、Ｒ２１、Ｒ２２、Ｒ２３及びＲ２４の少なくとも一つは、一般式（Ｐｃ）で表される銅フタロシアニン核中の４つのベンゼン環Ａ、Ｂ、Ｃ及びＤのそれぞれに存在する。
【化２４】
0005751529.tif 000057
【請求項２】
前記マイグレーションレベルの最大値が、１０未満であることを特徴とする請求項１記載のインクジェット記録方法。
【請求項３】
前記カチオン性ポリマーが、ポリリジン、ポリアリルアミン及びポリエチレンイミンからなる群から選択される少なくとも一つを含むことを特徴とする請求項１又は２記載のインクジェット記録方法。
【発明の詳細な説明】
【技術分野】
【０００１】
本発明は、インクジェット記録方法及びインクジェット記録用水性インクセットに関する。
【背景技術】
【０００２】
インクジェット記録では、特許文献１に記載のものをはじめとした水性インクを二種類以上用いて、二次色の記録部を形成することがある。例えば、水性イエローインク、水性マゼンタインク及び水性シアンインクの３色の水性インクを用いてプロセスブラック（トリカラーブラック、コンポジットブラックとも言う。）を記録する。
【０００３】
また、インクジェット記録用水性インクは、記録媒体への記録後に、前記記録部の周縁に着色剤が滲み出すマイグレーションという現象を起こすことが知られている。前記マイグレーションは、高湿環境下において特に起こりやすい。このため、前記二次色の記録部は、高湿環境下で、前記水性インクのマイグレーションの度合い（マイグレーションレベル）に応じて色が変化することがある。すなわち、高湿環境下で、前記記録部は、マイグレーションレベルの大きい水性インクの反対色が濃くなったように見える。例えば、前記プロセスブラックを記録する場合、高湿環境下での前記マゼンタインクのマイグレーションレベルが他の２色の水性インクより大きいと、前記プロセスブラック記録部は、マゼンタの反対色のグリーンが強くなり、緑がかった黒色に見える。
【０００４】
前記マイグレーションを抑制するために、例えば、複数の水性インクについて、マイグレーションレベルの相互間の最大差が小さくなるように選択することで、マイグレーションによる色変化が目立たないようにするといったことが行われてきた（特許文献２）。
【先行技術文献】
【特許文献】
【０００５】
【特許文献１】特開２００７−２１７５２３号公報
【特許文献２】特開２０１１−１５０５号公報
【発明の概要】
【発明が解決しようとする課題】
【０００６】
しかしながら、従来のインクジェット記録方法は、マイグレーションレベルが比較的近い水性インク同士を選択しなければならず、水性インクの選択の幅が狭いという問題がある。
【０００７】
そこで、本発明は、マイグレーションレベルの差が比較的大きな水性インク同士の組み合わせであっても、高湿環境下における二次色の記録部の色変化を抑制可能なインクジェット記録方法を提供することを目的とする。
【課題を解決するための手段】
【０００８】
前記目的を達成するために、本発明のインクジェット記録方法は、
記録媒体に二種類以上のインクジェット記録用水性インクを重ね打ちして記録するインクジェット記録方法であって、
前記水性インクが、着色剤、水及び水溶性有機溶剤を含み、
下記条件（Ｉ）及び下記条件（ＩＩ）の少なくとも一方を満足するように、前記二種類以上の水性インクを重ね打ちすることを特徴とする。
条件（Ｉ）：重ね打ちする前記二種類以上の水性インクにおいて、マイグレーションレベルが最大の水性インクが、カチオン性ポリマーを含む。
条件（ＩＩ）：重ね打ちする前記二種類以上の水性インクにおいて、マイグレーションレベルが最大の水性インクより前又は同時に前記記録媒体に到達する水性インクが、カチオン性ポリマーを含む。
【発明の効果】
【０００９】
本発明のインクジェット記録方法によれば、重ね打ちする二種類以上の水性インクにおいて、マイグレーションレベルが最大の水性インクにカチオン性ポリマーが含まれるか、重ね打ちする前記二種類以上の水性インクにおいて、マイグレーションレベルが最大の水性インクより前又は同時に前記記録媒体に到達する水性インクにカチオン性ポリマーが含まれるかの少なくとも一方の条件を満足させるため、マイグレーションレベルの差が比較的大きな水性インク同士の組み合わせであっても、高湿環境下における二次色の記録部の色変化が抑制される。
【図面の簡単な説明】
【００１０】
【図１】図１は、本発明におけるインクジェット記録用水性インクのマイグレーションレベルの測定方法を説明する図である。
【図２】図２は、インクジェット記録装置の構成の一例を示す概略斜視図である。
【発明を実施するための形態】
【００１１】
（重ね打ち）
本発明において、「重ね打ち」とは、記録媒体上の同一箇所に二種類以上のインクジェット記録用水性インク（以下、「水性インク」又は「インク」と言うことがある。）を吐出することを言う。重ね打ちする前記二種類以上の水性インクは、記録媒体に順次到達（着弾）するように吐出してもよいし、同時に到達（着弾）するように吐出してもよい。
【００１２】
（マイグレーションレベル）
本発明において、「マイグレーションレベル」とは、例えば、記録媒体における水性インクの拡散のしやすさを示す指標であり、例えば、つぎのようにして測定できる。すなわち、まず、低温高湿（温度１８℃、相対湿度８０％）の環境下で、図１に示すように、記録媒体（例えば、後述の光沢紙）に前記水性インクを吐出して、ベタ画像（解像度１２００ｄｐｉ×２４００ｄｐｉにおいて、３００％ｄｕｔｙ）を２分割するように、後述の図２に示したインクジェット記録装置のキャリッジの移動方向に沿ったスリット（非記録部）が入った１５個のパッチを記録し、評価用サンプルを作製する。前記評価用サンプルは、前記水性インクがカチオン性ポリマーを含む場合には、前記カチオン性ポリマーを除いた水性インクを用いて作製する。前記３００％ｄｕｔｙのベタ画像は、例えば、後述の図２に示したインクジェット記録装置の４つのインクカートリッジのうちの３つ（水性イエローインク用、水性マゼンタインク用及び水性シアンインク用のインクカートリッジ）を、同じ水性インクが充填されたインクカートリッジとし、前記３つのインクカートリッジに充填された同じ水性インクを、それぞれ１００％ｄｕｔｙとなる条件下にて同一走査において吐出することで、記録できる。前記１５個のパッチにおいて、前記スリットの幅は、それぞれ、２、４、６、８、１０、１２、１４、１６、１８、２０、２２、２４、２６、２８及び３０ドットとする。ここで、１ドットとは、解像度１２００ｄｐｉ×１２００ｄｐｉにおけるものであり、１／１２００インチ（２．５４／１２００ｃｍ）相当となる。ついで、前記評価用サンプルを、前記低温高湿の環境下で３日間保存する。つぎに、例えば、クオリティ・エンジニアリング・アソシエイツ（ＱＥＡ）社製のハンディ型画像評価システム「ＰＩＡＳ（登録商標）−ＩＩ」を用いて、前記スリットが白地のラインとして判定されるか否かを測定する。具体的には、前記スリットを前記画像評価システムの画面中央に配置し、下記測定条件において、前記画面の左端から右端まで前記スリットが連続した白地のラインとして判定されれば、合格とする。スリット幅の狭い前記パッチから判定していき、最初に合格となるスリット幅を求める。前記スリット幅から、下記評価基準により、前記水性インクのマイグレーションレベルを決定する。前記記録は、印字、印画、印刷等を含む。
【００１３】
＜マイグレーションレベル測定条件＞
測定ツール：「ライン分析」又は「エッジ分析」
エッジ境界線閾値：８５％
（前記スリット部における反射率測定値の最大値をＲｍａｘ、前記パッチのベタ記録部における反射率測定値の最小値をＲｍｉｎ、前記スリット部における反射率測定値をＲとしたとき、｛Ｒ／（Ｒｍａｘ−Ｒｍｉｎ）｝×１００≦８５になる部分が前記画像評価システムの画面中に存在すると、前記スリットは、連続した白地のラインではないと判定される。）
Ｃｏｌｏｒ  Ｐｌａｎｅ：Ａｕｔｏ
Ｏｒｉｅｎｔａｔｉｏｎ：水平ライン
背景（Ｐｏｌａｒｉｔｙ）：暗い（Ｌｉｇｈｔ  ｏｎ  ｄａｒｋ）
【００１４】
＜マイグレーションレベル評価基準＞
レベル１：スリット幅２ドットのパッチで最初に合格となる
レベル２：スリット幅４ドットのパッチで最初に合格となる
レベル３：スリット幅６ドットのパッチで最初に合格となる
レベル４：スリット幅８ドットのパッチで最初に合格となる
レベル５：スリット幅１０ドットのパッチで最初に合格となる
レベル６：スリット幅１２ドットのパッチで最初に合格となる
レベル７：スリット幅１４ドットのパッチで最初に合格となる
レベル８：スリット幅１６ドットのパッチで最初に合格となる
レベル９：スリット幅１８ドットのパッチで最初に合格となる
レベル１０：スリット幅２０ドットのパッチで最初に合格となる
レベル１１：スリット幅２２ドットのパッチで最初に合格となる
レベル１２：スリット幅２４ドットのパッチで最初に合格となる
レベル１３：スリット幅２６ドットのパッチで最初に合格となる
レベル１４：スリット幅２８ドットのパッチで最初に合格となる
レベル１５：スリット幅３０ドットのパッチで最初に合格となる
レベル１６：スリット幅３０ドットのパッチでも合格とならない
【００１５】
（インクジェット記録方法）
つぎに、本発明のインクジェット記録方法について、例をあげて、詳細に説明する。ただし、本発明は、以下の説明により制限及び限定されない。
【００１６】
本発明のインクジェット記録方法では、二種類以上の水性インクを用いて記録する。前記水性インクは、着色剤、水及び水溶性有機溶剤を含む。
【００１７】
前記着色剤は、染料又は顔料のいずれであってもよい。また、前記着色剤として、染料及び顔料を混合して用いてもよい。
【００１８】
前記染料は、特に限定されず、例えば、直接染料、酸性染料、塩基性染料、反応性染料等があげられる。前記染料の具体例としては、例えば、Ｃ．Ｉ．ダイレクトブラック、Ｃ．Ｉ．ダイレクトブルー、Ｃ．Ｉ．ダイレクトレッド、Ｃ．Ｉ．ダイレクトイエロー、Ｃ．Ｉ．ダイレクトオレンジ、Ｃ．Ｉ．ダイレクトバイオレット、Ｃ．Ｉ．ダイレクトブラウン、Ｃ．Ｉ．ダイレクトグリーン、Ｃ．Ｉ．アシッドブラック、Ｃ．Ｉ．アシッドブルー、Ｃ．Ｉ．アシッドレッド、Ｃ．Ｉ．アシッドイエロー、Ｃ．Ｉ．アシッドオレンジ、Ｃ．Ｉ．アシッドバイオレット、Ｃ．Ｉ．ベーシックブラック、Ｃ．Ｉ．ベーシックブルー、Ｃ．Ｉ．ベーシックレッド、Ｃ．Ｉ．ベーシックバイオレット及びＣ．Ｉ．フードブラック等があげられる。前記Ｃ．Ｉ．ダイレクトブラックとしては、例えば、Ｃ．Ｉ．ダイレクトブラック１７、１９、３２、５１、７１、１０８、１４６、１５４及び１６８等があげられる。前記Ｃ．Ｉ．ダイレクトブルーとしては、例えば、Ｃ．Ｉ．ダイレクトブルー６、２２、２５、７１、８６、９０、１０６及び１９９等があげられる。前記Ｃ．Ｉ．ダイレクトレッドとしては、例えば、Ｃ．Ｉ．ダイレクトレッド１、４、１７、２８、８３及び２２７等があげられる。前記Ｃ．Ｉ．ダイレクトイエローとしては、例えば、Ｃ．Ｉ．ダイレクトイエロー１２、２４、２６、８６、９８、１３２、１４２及び１７３等があげられる。前記Ｃ．Ｉ．ダイレクトオレンジとしては、例えば、Ｃ．Ｉ．ダイレクトオレンジ３４、３９、４４、４６及び６０等があげられる。前記Ｃ．Ｉ．ダイレクトバイオレットとしては、例えば、Ｃ．Ｉダイレクトバイオレット４７及び４８等があげられる。前記Ｃ．Ｉ．ダイレクトブラウンとしては、例えば、Ｃ．Ｉ．ダイレクトブラウン１０９等があげられる。前記Ｃ．Ｉ．ダイレクトグリーンとしては、例えば、Ｃ．Ｉ．ダイレクトグリーン５９等があげられる。前記Ｃ．Ｉ．アシッドブラックとしては、例えば、Ｃ．Ｉ．アシッドブラック２、７、２４、２６、３１、５２、６３、１１２及び１１８等があげられる。前記Ｃ．Ｉ．アシッドブルーとしては、例えば、Ｃ．Ｉ．アシッドブルー９、２２、４０、５９、９３、１０２、１０４、１１７、１２０、１６７、２２９及び２３４等があげられる。前記Ｃ．Ｉ．アシッドレッドとしては、例えば、Ｃ．Ｉ．アシッドレッド１、６、３２、３７、５１、５２、８０、８５、８７、９２、９４、１１５、１８０、２５６、２８９、３１５及び３１７等があげられる。前記Ｃ．Ｉ．アシッドイエローとしては、例えば、Ｃ．Ｉ．アシッドイエロー１１、１７、２３、２５、２９、４２、６１及び７１等があげられる。前記Ｃ．Ｉ．アシッドオレンジとしては、例えば、Ｃ．Ｉ．アシッドオレンジ７及び１９等があげられる。前記Ｃ．Ｉ．アシッドバイオレットとしては、例えば、Ｃ．Ｉ．アシッドバイオレット４９等があげられる。前記Ｃ．Ｉ．ベーシックブラックとしては、例えば、Ｃ．Ｉ．ベーシックブラック２等があげられる。前記Ｃ．Ｉ．ベーシックブルーとしては、例えば、Ｃ．Ｉ．ベーシックブルー１、３、５、７、９、２４、２５、２６、２８及び２９等があげられる。前記Ｃ．Ｉ．ベーシックレッドとしては、例えば、Ｃ．Ｉ．ベーシックレッド１、２、９、１２、１３、１４及び３７等があげられる。前記Ｃ．Ｉ．ベーシックバイオレットとしては、例えば、Ｃ．Ｉ．ベーシックバイオレット７、１４及び２７等があげられる。前記Ｃ．Ｉ．フードブラックとしては、例えば、Ｃ．Ｉ．フードブラック１及び２等があげられる。これらの染料以外にも、例えば、化学式（Ｙａ）〜（Ｙｅ）、化学式（Ｍ１ａ）〜（Ｍ１ｂ）、化学式（Ｍ２ａ）〜（Ｍ２ｅ）、化学式（Ｍ３ａ）〜（Ｍ３ｆ）及び化学式（Ｃａ）〜（Ｃｅ）で表される化合物等も前記染料として好適に使用できる。化学式（Ｙａ）〜（Ｙｅ）及び化学式（Ｍ３ａ）〜（Ｍ３ｆ）において、−Ｃ４Ｈ９（ｔ）は、ｔｅｒｔ−ブチル基である。化学式（Ｃａ）〜（Ｃｅ）において、Ｐｃ（Ｃｕ）は、一般式（Ｐｃ）で表される銅フタロシアニン核であり、Ｒ２１、Ｒ２２、Ｒ２３及びＲ２４の少なくとも一つは、一般式（Ｐｃ）で表される銅フタロシアニン核中の４つのベンゼン環Ａ、Ｂ、Ｃ及びＤのそれぞれに存在する。
【００１９】
【化１】
0005751529.tif 000002
【化２】
0005751529.tif 000003
【化３】
0005751529.tif 000004
【化４】
0005751529.tif 000005
【化５】
0005751529.tif 000006
【化６】
0005751529.tif 000007
【化７】
0005751529.tif 000008
【化８】
0005751529.tif 000009
【化９】
0005751529.tif 000010
【化１０】
0005751529.tif 000011
【化１１】
0005751529.tif 000012
【化１２】
0005751529.tif 000013
【化１３】
0005751529.tif 000014
【化１４】
0005751529.tif 000015
【化１５】
0005751529.tif 000016
【化１６】
0005751529.tif 000017
【化１７】
0005751529.tif 000018
【化１８】
0005751529.tif 000019
【化１９】
0005751529.tif 000020
【化２０】
0005751529.tif 000021
【化２１】
0005751529.tif 000022
【化２２】
0005751529.tif 000023
【化２３】
0005751529.tif 000024
【化２４】
0005751529.tif 000025
【００２０】
前記水性インク全量に対する前記染料の配合量は、特に限定されず、例えば、０．１重量％〜１０重量％であり、好ましくは、０．５重量％〜８重量％であり、より好ましくは、１重量％〜６重量％である。
【００２１】
前記顔料は、特に限定されず、例えば、カーボンブラック、無機顔料及び有機顔料等が使用できる。前記顔料を用いる場合は、分散剤を併用することが好ましい。
【００２２】
前記水性インク全量に対する前記顔料の固形分配合量（顔料固形分量）は、特に限定されず、例えば、所望の光学濃度又は色彩等により、適宜決定できる。前記顔料固形分量は、例えば、０．１重量％〜２０重量％であり、好ましくは、１重量％〜１０重量％であり、より好ましくは、２重量％〜８重量％である。
【００２３】
前記着色剤は、１種類を単独で用いてもよいし、２種類以上を併用してもよい。
【００２４】
前記水は、イオン交換水又は純水であることが好ましい。前記水性インク全量に対する前記水の配合量（水割合）は、例えば、１０重量％〜９０重量％であり、好ましくは、４０重量％〜８０重量％である。前記水割合は、例えば、他の成分の残部としてもよい。
【００２５】
前記水溶性有機溶剤としては、例えば、インクジェットヘッドのノズル先端部における水性インクの乾燥を防止する湿潤剤及び記録媒体上での乾燥速度を調整する浸透剤があげられる。
【００２６】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン、トリメチロールプロパン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、ヘキシレングリコール等があげられる。これらの湿潤剤は、１種類を単独で用いてもよいし、２種類以上を併用してもよい。これらの中で、アルキレングリコール、グリセリン等の多価アルコールが好ましい。
【００２７】
前記水性インク全量に対する前記湿潤剤の配合量は、例えば、０重量％〜９５重量％であり、好ましくは、５重量％〜８０重量％であり、より好ましくは、５重量％〜５０重量％である。
【００２８】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−ヘキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテル及びトリプロピレングリコール−ｎ−ブチルエーテル等があげられる。前記浸透剤は、１種類を単独で用いてもよいし、２種類以上を併用してもよい。
【００２９】
前記水性インク全量に対する前記浸透剤の配合量は、例えば、０重量％〜２０重量％であり、好ましくは、０．１重量％〜１５重量％であり、より好ましくは、０．５重量％〜１０重量％である。
【００３０】
前記水性インクは、必要に応じて、さらに、従来公知の添加剤を含んでもよい。前記添加剤としては、例えば、界面活性剤、ｐＨ調整剤、粘度調整剤、表面張力調整剤、防黴剤等があげられる。前記粘度調整剤は、例えば、ポリビニルアルコール、セルロース、水溶性樹脂等があげられる。
【００３１】
前記水性インクは、例えば、着色剤、水及び水溶性有機溶剤と、必要に応じて他の添加成分とを、従来公知の方法で均一に混合し、フィルタ等で不溶解物を除去することにより調製できる。
【００３２】
本発明のインクジェット記録方法は、例えば、図２に示すインクジェット記録装置を用いて実施できる。図２に示すとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８とを主要な構成要素として含む。
【００３３】
４つのインクカートリッジ２は、イエロー、マゼンタ、シアン及びブラックの４色の水性インクを、それぞれ１色ずつ含む。ヘッドユニット４に設置されたインクジェットヘッド３は、記録媒体（例えば、記録用紙（好ましくは光沢紙、より好ましくは空隙型のレジンコート層を有する光沢紙））Ｐに記録を行う。キャリッジ５には、４つのインクカートリッジ２及びヘッドユニット４が搭載される。駆動ユニット６は、キャリッジ５を直線方向に往復移動させる。駆動ユニット６としては、例えば、従来公知のものを使用できる（例えば、特開２００８−２４６８２１号公報参照）。プラテンローラ７は、キャリッジ５の往復方向に延び、インクジェットヘッド３と対向して配置されている。前記記録は、印字、印画、印刷等を含む。
【００３４】
パージ装置８は、インクジェットヘッド３の内部に溜まる気泡等を含んだ不良インクを吸引する。パージ装置８としては、例えば、従来公知のものを使用できる（例えば、特開２００８−２４６８２１号公報参照）。
【００３５】
パージ装置８のプラテンローラ７側には、パージ装置８に隣接してワイパ部材２０が配設されている。ワイパ部材２０は、へら状に形成されており、キャリッジ５の移動に伴って、インクジェットヘッド３のノズル形成面を拭うものである。図２において、キャップ１８は、水性インクの乾燥を防止するため、記録が終了するとリセット位置に戻されるインクジェットヘッド３の複数のノズルを覆うものである。
【００３６】
本例のインクジェット記録装置１においては、４つのインクカートリッジ２は、ヘッドユニット４と共に、１つのキャリッジ５に搭載されている。ただし、本発明は、これに限定されない。前記インクジェット記録装置において、４つのインクカートリッジ２の各カートリッジは、ヘッドユニット４とは別のキャリッジに搭載されていてもよい。また、４つのインクカートリッジ２の各カートリッジは、キャリッジ５には搭載されず、インクジェット記録装置内に配置、固定されていてもよい。これらの態様においては、例えば、４つのインクカートリッジ２の各カートリッジと、キャリッジ５に搭載されたヘッドユニット４とが、チューブ等により連結され、４つのインクカートリッジ２の各カートリッジからヘッドユニット４に前記水性インクが供給される。
【００３７】
つぎに、本発明のインクジェット記録方法の実施形態について、図２に示すインクジェット記録装置を用いた場合を例にとって説明する。ただし、以下の実施形態は例示に過ぎず、本発明はこれに限定されない。
【００３８】
［実施形態１］
本実施形態は、重ね打ちする二種類以上の水性インクにおいて、マイグレーションレベルが最大の水性インクが、カチオン性ポリマーを含む、すなわち、前記条件（Ｉ）を満足する形態である。
【００３９】
まず、インクジェットヘッド３から、記録用紙Ｐに重ね打ちする二種類以上の水性インクのうち、前記マイグレーションレベルが最大の水性インク以外の水性インクを吐出する。
【００４０】
つぎに、インクジェットヘッド３から、前記マイグレーションレベルが最大の水性インク以外の水性インクの吐出部に、前記マイグレーションレベルが最大の水性インクを吐出する。前記マイグレーションレベルの最大値は、１０未満であることが好ましい。本実施形態では、前記マイグレーションレベルが最大の水性インクが、カチオン性ポリマーを含む。マイグレーションレベルが最大の水性インクにカチオン性ポリマーを含ませることで、高湿環境下における二次色の記録部の色変化が抑制されると推定される。特に、記録媒体として光沢紙を用いた場合には、光沢紙上のシリカ粒子及びカチオン性ポリマーの相互作用による目止め効果が働き、湿度による染料の光沢紙における拡散のしやすさ（マイグレーション）の変化が抑制され、その結果、二次色の記録部の色変化が抑制されると推定されるが本発明は、この推定に限定されない。
【００４１】
前記カチオン性ポリマーは、一般式（１）で表わされる化合物、一般式（２）で表わされる化合物、一般式（３）で表わされる化合物及び一般式（４）で表わされる化合物（ポリエチレンイミン）の少なくとも一つの化合物であることが好ましい。
【化２５】
0005751529.tif 000026
【化２６】
0005751529.tif 000027
【化２７】
0005751529.tif 000028
【００４２】
一般式（１）において、ｍは、２〜６の整数であり、ｎは、２０〜４０の整数である。
【００４３】
一般式（１）において、ｍは、４であることが特に好ましい。この場合、一般式（１）で表わされる化合物は、ポリリジンである。また、一般式（１）において、ｎは、２５〜３５であることが好ましい。
【００４４】
一般式（１）で表わされる化合物は、一般式（１）で表わされる化合物の誘導体を含んでもよい。なお、一般式（１）で表わされる化合物及びその誘導体に互変異性体又は立体異性体（例：幾何異性体、配座異性体及び立体異性体）等の異性体が存在する場合は、いずれの異性体も本発明に用いることができる。また、一般式（１）で表わされる化合物及びその誘導体の塩も、同様に本発明に用いることができる。前記塩は、酸付加塩でも塩基付加塩でもよい。さらに、前記酸付加塩を形成する酸は無機酸でも有機酸でもよく、前記塩基付加塩を形成する塩基は無機塩基でも有機塩基でもよい。前記無機酸としては、特に限定されないが、例えば、塩酸、硫酸、リン酸、フッ化水素酸、臭化水素酸、ヨウ化水素酸、次亜フッ素酸、次亜塩素酸、次亜臭素酸、次亜ヨウ素酸、亜フッ素酸、亜塩素酸、亜臭素酸、亜ヨウ素酸、フッ素酸、塩素酸、臭素酸、ヨウ素酸、過フッ素酸、過塩素酸、過臭素酸、過ヨウ素酸等があげられる。前記有機酸も、特に限定されないが、例えば、グルタミン酸、ｐ−トルエンスルホン酸、メタンスルホン酸、シュウ酸、ｐ−ブロモベンゼンスルホン酸、炭酸、コハク酸、クエン酸、安息香酸、酢酸、ヒドロキシカルボン酸、プロピオン酸、マロン酸、アジピン酸、フマル酸、マレイン酸等があげられる。前記無機塩基としては、特に限定されないが、例えば、水酸化アンモニウム、アルカリ金属水酸化物、アルカリ土類金属水酸化物、炭酸塩、炭酸水素塩、硫酸塩等があげられ、より具体的には、例えば、水酸化ナトリウム、水酸化カリウム、炭酸カリウム、炭酸ナトリウム、炭酸水素ナトリウム、炭酸水素カリウム、水酸化カルシウム、炭酸カルシウム、硫酸カリウム、硫酸カルシウム等があげられる。前記有機塩基も、特に限定されないが、例えば、アルコールアミン、トリアルキルアミン、テトラアルキルアンモニウム、及びトリス（ヒドロキシメチル）アミノメタン等があげられる。前記アルコールアミンとしては、例えば、エタノールアミン等があげられる。前記トリアルキルアミンとしては、例えば、トリメチルアミン、トリエチルアミン、トリプロピルアミン、トリブチルアミン、トリオクチルアミン等があげられる。前記テトラアルキルアンモニウムとしては、例えば、テトラメチルアンモニウム、テトラエチルアンモニウム、テトラプロピルアンモニウム、テトラブチルアンモニウム、テトラオクチルアンモニウム等があげられる。
【００４５】
一般式（２）及び（３）において、Ｒ１１〜Ｒ１３は、それぞれ、水素原子又は有機基である。前記有機基としては、例えば、アルキル基、アリール基等があげられる。前記アルキル基は、直鎖でも分岐鎖でもよく、例えば、メチル基、エチル基、ｎ−プロピル基、イソプロピル基、ｎ−ブチル基、イソブチル基、ｓｅｃ−ブチル基、ｔｅｒｔ−ブチル基、ｎ−ヘキシル基、シクロへキシル基、ｎ−オクチル基、２−エチルヘキシル基、ｎ−デシル基、ｎ−ドデシル基、オクタデシル基、１，３−ブタジエニル基、１，３−ペンタジエニル基等があげられる。前記アリール基としては、例えば、フェニル基、ナフチル基、トリル基、ビニルフェニル基等があげられる。前記アルキル基及びアリール基は、置換基を有してもよい。前記置換基を有するアルキル基及びアリール基としては、例えば、フロロエチル基、トリフロロエチル基、メトキシエチル基、フェノキシエチル基、ヒドロキシフェニルメチル基、クロロフェニル基、ジクロロフェニル基、トリクロロフェニル基、ブロモフェニル基、ヨードフェニル基、フロロフェニル基、ヒドロキシフェニル基、メトキシフェニル基、セトキシフェニル基、シアノフェニル基等があげられる。
【００４６】
一般式（３）において、Ｘ−は、アニオンである。前記アニオンは、いかなるものであってもよいが、例えば、ハロゲン化物イオン、スルホン酸イオン、アルキルスルホン酸イオン、アリールスルホン酸イオン、アルキルカルボン酸イオン、アリールカルボン酸イオン等があげられる。
【００４７】
一般式（２）及び（３）において、ｐは、正の整数であり、例えば、１０〜４００であり、好ましくは、１５〜３００であり、より好ましくは、２０〜２００である。一般式（２）及び（３）で表わされる化合物の重量平均分子量は、特に制限されないが、例えば、６００〜２００００であり、好ましくは、９００〜１５０００であり、より好ましくは、１２００〜１００００である。
【００４８】
一般式（２）において、Ｒ１１及びＲ１２は、水素原子であることが特に好ましい。この場合、一般式（２）で表わされる化合物は、ポリアリルアミンである。また、一般式（３）において、Ｒ１１〜Ｒ１３は、水素原子であり、Ｘ−は、塩化物イオンであることが好ましい。この場合、一般式（３）で表わされる化合物は、ポリアリルアミン塩酸塩（アリルアミン塩酸塩重合体）である。
【００４９】
一般式（４）において、ｑは、正の整数であり、例えば、１２〜５００であり、好ましくは、２０〜３５０であり、より好ましくは、２８〜２５０である。なお、一般式（４）には直鎖状のポリエチレンイミンを示したが、前記カチオン性ポリマーは、第１級、第２級又は第３級アミンを含む等の分岐鎖構造のポリエチレンイミンであってもよい。
【００５０】
前記カチオン性ポリマーとしては、一般式（１）で表わされる化合物、一般式（２）で表わされる化合物、一般式（３）で表わされる化合物及び一般式（４）で表わされる化合物以外のものを用いてもよい。一般式（１）で表わされる化合物、一般式（２）で表わされる化合物、一般式（３）で表わされる化合物及び一般式（４）で表される化合物以外の前記カチオン性ポリマーとしては、例えば、ポリアミン、ポリビニルアミン、ポリビニルピリジン、ポリエチレンイミン−エピクロルヒドリン反応物、ポリアミド−ポリアミン樹脂、ポリアミド−エピクロルヒドリン樹脂、カチオンデンプン、ポリビニルアルコール、ポリビニルピロリドン、ポリアミジン、カチオンエポキシ樹脂、ポリアクリルアミド、ポリアクリル酸エステル、ポリメタクリル酸エステル、ポリビニルホルムアミド、アミノアセタール化ポリビニルアルコール、ポリビニルベンジルオニウム、ジシアンジアミド・ホルマリン重縮合物、ジシアンジアミド・ジエチレントリアミン重縮合物、エピクロルヒドリン・ジメチルアミン付加重合物、ジメチルジアリルアンモニウムクロライド・ＳＯ２共重合物、ジメチルジアリルアンモニウムクロライド重合物、及びこれらの誘導体等があげられる。また、一般式（１）で表わされる化合物、一般式（２）で表わされる化合物、一般式（３）で表わされる化合物及び一般式（４）で表される化合物以外の前記カチオン性ポリマーとしては、例えば、ジメチルアミノエチル−メタクリレート（ＤＭ）、メタクリロイロキシエチル−トリメチルアンモニウム−クロライド（ＤＭＣ）、メタクリロイロキシエチル−ベンジルジメチル−アンモニウムクロライド（ＤＭＢＣ）、ジメチルアミノエチル−アクリレート（ＤＡ）、アクリロイロキシエチル−トリメチルアンモニウム−クロライド（ＤＭＱ）、アクリロイロキシエチル−ベンジルジメチル−アンモニウムクロライド（ＤＡＢＣ）、ジメチルアミノプロピル−アクリルアミド（ＤＭＡＰＡＡ）、アクリルアミドプロピル−トリメチルアンモニウム−クロライド（ＤＭＡＰＡＡＱ）等の水溶性モノマーの少なくとも一つからなる単一モノマー重合体又は複数種のモノマーの共重合体等もあげられる。
【００５１】
前記カチオン性ポリマーは、自家調製してもよいし、市販品を用いてもよい。前記市販品としては、例えば、チッソ（株）製のポリリジン、日東紡績（株）製の「ＰＡＡ（登録商標）−０１」、「ＰＡＡ（登録商標）−０３」、「ＰＡＡ（登録商標）−０８」、「ＰＡＡ（登録商標）−１５」、純正化学（株）製のポリエチレンイミン等があげられる。
【００５２】
前記カチオン性ポリマーの重量平均分子量は、例えば、６００〜２００００であり、好ましくは、９００〜１５０００であり、より好ましくは、１２００〜１００００である。また、マイグレーションレベルが最大の水性インク全量に対する前記カチオン性ポリマーの配合量は、例えば、０．２重量％〜６重量％であり、好ましくは、０．５重量％〜４．５重量％であり、より好ましくは、１重量％〜３重量％である。前記カチオン性ポリマーは、１種類を単独で用いてもよいし、２種類以上を併用してもよい。
【００５３】
前記マイグレーションレベルが最大の水性インク以外の水性インクの吐出から、前記マイグレーションレベルが最大の水性インクの吐出までの時間は、特に制限されない。例えば、前記マイグレーションレベルが最大の水性インクの吐出は、前記マイグレーションレベルが最大の水性インク以外の水性インクの吐出と同一走査内で実施すればよい。前記マイグレーションレベルが最大の水性インクが前記カチオン性ポリマーを含むことで、高湿環境下における二次色の色変化が抑制された記録物を得ることができる。記録後の記録用紙Ｐは、インクジェット記録装置１から排紙される。
【００５４】
本例では、記録用紙Ｐに前記マイグレーションレベルが最大の水性インク以外の水性インクを吐出した後、前記マイグレーションレベルが最大の水性インクを吐出しているが、本実施形態では、記録用紙Ｐに前記マイグレーションレベルが最大の水性インクを先に吐出した後、前記マイグレーションレベルが最大の水性インク以外の水性インクを吐出してもよいし、記録用紙Ｐへの前記マイグレーションレベルが最大の水性インク以外の水性インクの吐出と前記マイグレーションレベルが最大の水性インクの吐出とを同時に行ってもよい。
【００５５】
［実施形態２］
本実施形態は、重ね打ちする二種類以上の水性インクにおいて、マイグレーションレベルが最大の水性インクより前又は同時に記録用紙Ｐに到達（着弾）する水性インクが、カチオン性ポリマーを含む、すなわち、前記条件（ＩＩ）を満足する形態である。本実施形態のインクジェット記録方法は、重ね打ちする二種類以上の水性インクにおいて、マイグレーションレベルが最大の水性インクより前又は同時に記録用紙Ｐに到達（着弾）する水性インクに前記カチオン性ポリマーを含ませる点を除き、実施形態１のインクジェット記録方法と同様にして実施できる。記録用紙Ｐ上において、前記カチオン性ポリマーを含む水性インク及び前記マイグレーションレベルが最大の水性インクが接触することで、高湿環境下における二次色の色変化が抑制された記録物を得ることができる。
【００５６】
なお、前記カチオン性ポリマーを含ませる水性インクとしては、例えば、重ね打ちする前記二種類以上の水性インクのマイグレーションレベルを測定し、その測定結果と、各水性インクがどの順序で吐出されるのかを考慮して、マイグレーションレベルが最大の水性インクより前又は同時に記録用紙Ｐに到達（着弾）する水性インクを選択する。
【００５７】
（インクジェット記録用水性インクセット）
つぎに、本発明のインクジェット記録用水性インクセットについて説明する。本発明のインクジェット記録用水性インクセットは、二種類以上のインクジェット記録用水性インクを含むインクジェット記録用水性インクセットであって、前記二種類以上の水性インクが、それぞれ、着色剤、水及び水溶性有機溶剤を含み、前記二種類以上の水性インクにおいて、マイグレーションレベルが最大の水性インクが、さらに、カチオン性ポリマーを含むことを特徴とする。前記マイグレーションレベル、及び着色剤、水、水溶性有機溶剤、カチオン性ポリマー等の水性インクの各成分等については、前述のとおりである。
【実施例】
【００５８】
つぎに、本発明の実施例について比較例と併せて説明する。なお、本発明は、下記の実施例及び比較例によって限定及び制限されない。
【００５９】
（水性イエローインクの調製及びマイグレーションレベルの測定）
カチオン性ポリマー及びその比較対象物を除く水性イエローインク組成（表１）の各成分を、均一に混合した。その後、得られた混合物を、東洋濾紙（株）製の親水性ポリテトラフルオロエチレン（ＰＴＦＥ）タイプメンブランフィルタ（孔径０．２０μｍ）でろ過することで、マイグレーションレベル測定用のインクジェット記録用水性イエローインクを得た。ついで、ブラザー工業（株）製のインクジェットプリンタ搭載デジタル複合機ＤＣＰ−３８５Ｃを使用して、マイグレーションレベル測定用の各水性イエローインクを用いて空隙型のレジンコート層を有する光沢紙上へ、ベタ画像を２分割するスリットの入った１５個のパッチを記録することで、前記評価用サンプルを作製した。前記空隙型のレジンコート層を有する光沢紙には、ブラザー工業（株）製の「専用紙（写真光沢紙）（ＢＰ−７１）」（光沢紙Ａ）、セイコーエプソン（株）製の「写真用紙クリスピア＜高光沢＞」（光沢紙Ｂ）及び「写真用紙＜光沢＞」（光沢紙Ｃ）を用いた。つぎに、前記評価用サンプルを用いて、各水性イエローインクのマイグレーションレベルを測定した。マイグレーションレベル測定後、必要に応じてマイグレーションレベル測定用の各水性イエローインクに表１に示すカチオン性ポリマー及びその比較対象物を添加し、マイグレーションレベル測定用の各水性イエローインク調製時と同様にして混合、ろ過することで、インクジェット記録用水性イエローインクＹ１〜Ｙ９を得た。なお、表１において、染料（Ｙａ）〜（Ｙｅ）は、それぞれ、化学式（Ｙａ）〜（Ｙｅ）で表される化合物である。
【００６０】
（水性マゼンタインクの調製及びマイグレーションレベルの測定）
カチオン性ポリマーを除く水性マゼンタインク組成（表２）の各成分を、均一に混合した。その後、得られた混合物を、東洋濾紙（株）製の親水性ポリテトラフルオロエチレン（ＰＴＦＥ）タイプメンブランフィルタ（孔径０．２０μｍ）でろ過することで、マイグレーションレベル測定用の水性マゼンタインクを得た。つぎに、マイグレーションレベル測定用の各水性イエローインクと同様にして、マイグレーションレベル測定用の各水性マゼンタインクのマイグレーションレベルを測定した。マイグレーションレベル測定後、必要に応じてマイグレーションレベル測定用の各水性マゼンタインクに表２に示すカチオン性ポリマー及びその比較対象物を添加し、マイグレーションレベル測定用の各水性マゼンタインク調製時と同様にして混合、ろ過することで、インクジェット記録用水性マゼンタインクＭ１〜Ｍ１２を得た。なお、表２において、染料（Ｍ１ａ）〜（Ｍ１ｂ）、染料（Ｍ２ａ）〜（Ｍ２ｅ）及び染料（Ｍ３ａ）〜（Ｍ３ｆ）は、それぞれ、化学式（Ｍ１ａ）〜（Ｍ１ｂ）、化学式（Ｍ２ａ）〜（Ｍ２ｅ）及び化学式（Ｍ３ａ）〜（Ｍ３ｆ）で表される化合物である。
【００６１】
（水性シアンインクの調製及びマイグレーションレベルの測定）
カチオン性ポリマーを除く水性シアンインク組成（表３）の各成分を、均一に混合した。その後、得られた混合物を、東洋濾紙（株）製の親水性ポリテトラフルオロエチレン（ＰＴＦＥ）タイプメンブランフィルタ（孔径０．２０μｍ）でろ過することで、マイグレーションレベル測定用のシアンインクを得た。つぎに、マイグレーションレベル測定用の各水性イエローインクと同様にして、マイグレーションレベル測定用の各水性シアンインクのマイグレーションレベルを測定した。マイグレーションレベル測定後、必要に応じてマイグレーションレベル測定用の各水性シアンインクに表３に示すカチオン性ポリマーを添加し、マイグレーションレベル測定用の各水性シアンインク調製時と同様にして混合、ろ過することで、インクジェット記録用水性シアンインクＣ１〜Ｃ６を得た。なお、表３において、染料（Ｃａ）〜（Ｃｅ）は、それぞれ、化学式（Ｃａ）〜（Ｃｅ）で表される化合物である。
【００６２】
【表１】
0005751529.tif 000029
【００６３】
【表２】
0005751529.tif 000030
【００６４】
【表３】
0005751529.tif 000031
【００６５】
［実施例１〜１１及び比較例１〜９］
ブラザー工業（株）製のインクジェットプリンタ搭載デジタル複合機ＤＣＰ−３８５Ｃを使用して、表４及び表５に示す３色の水性インク（水性イエローインク：水性マゼンタインク：水性シアンインク（体積比）＝１：１：１）を用いて、実施例及び比較例で選択した光沢紙上にトリカラーブラックパッチを記録した。前記３色の水性インクは、前記光沢紙上で接触するように、表４及び表５に示す水性インク１、水性インク２、水性インク３の順に吐出した。前記トリカラーブラックパッチについて、彩度（Ｃ＊）差（ΔＣ＊）を、下記の方法により算出した。
【００６６】
常温常湿（温度２５℃、相対湿度５０％）の環境下で前記トリカラーブラックパッチを記録し、前記記録時と同じ環境下で２４時間保存して、常温常湿環境サンプルを得た。また、低温高湿（温度１８℃、相対湿度８０％）の環境下で前記トリカラーブラックパッチを記録し、前記記録時と同じ環境下で２４時間保存して、低温高湿環境サンプルを得た。前記常温常湿環境サンプル及び前記低温高湿環境サンプルのａ＊値及びｂ＊値を、Ｇｒｅｔａｇ  Ｍａｃｂｅｔｈ社製の分光測色計Ｓｐｅｃｔｒｏｌｉｎｏ（測定視野：２°；白色基準：Ａｂｓ（絶対白色）；光源：Ｄ５０；濃度基準：ＡＮＳＩ  Ｔ）により測定し、下記式により常温常湿及び低温高湿の２環境間における彩度（Ｃ＊）差（ΔＣ＊）を算出した。前記彩度（Ｃ＊）差（ΔＣ＊）を、下記評価基準に従って評価した。
ΔＣ＊＝｛（ａ＊１−ａ＊２）２＋（ｂ＊１−ｂ＊２）２｝１／２
ａ＊１：前記低温高湿環境サンプルのトリカラーブラックパッチのａ＊値
ａ＊２：前記常温常湿環境サンプルのトリカラーブラックパッチのａ＊値
ｂ＊１：前記低温高湿環境サンプルのトリカラーブラックパッチのｂ＊値
ｂ＊２：前記常温常湿環境サンプルのトリカラーブラックパッチのｂ＊値
【００６７】
彩度（Ｃ＊）差（ΔＣ＊）評価  評価基準
Ａ：前記彩度（Ｃ＊）差（ΔＣ＊）が、２．５未満
Ｂ：前記彩度（Ｃ＊）差（ΔＣ＊）が、２．５以上５未満
Ｃ：前記彩度（Ｃ＊）差（ΔＣ＊）が、５以上
【００６８】
実施例で用いた３色の水性インク及び評価結果を、表４に示す。また、比較例で用いた３色の水性インク及び評価結果を、表５に示す。
【００６９】
【表４】
0005751529.tif 000032
【００７０】
【表５】
0005751529.tif 000033
【００７１】
表４に示すとおり、実施例１〜１１では、相互間にマイグレーションレベルに大きな差がある水性インクの組み合わせであっても、低温高湿の環境下におけるトリカラーブラックパッチの彩度（Ｃ＊）の変化が抑制されていた。マイグレーションレベルの最大値が１０未満である実施例１〜７、１０及び１１では、低温高湿の環境下におけるトリカラーブラックパッチの彩度（Ｃ＊）の変化がより抑制されていた。一方、カチオン性ポリマーを含む水性インクを用いなかった比較例１、２、７及び８では、目止め効果が発現せず、低温高湿の環境下においてトリカラーブラックパッチの彩度（Ｃ＊）に大きな変化が生じていた。また、カチオン性ポリマーに代えて、非カチオン性ポリマーであるポリビニルピロリドン、又はカチオン性低分子物質であるリジン塩酸塩、ジメチルエチルオクチルアンモニウムエチル硫酸を含む水性インクを用いた比較例２〜４でも、目止め効果が発現せず、低温高湿の環境下においてトリカラーブラックパッチの彩度（Ｃ＊）に大きな変化が生じていた。さらに、マイグレーションレベルが最大の水性インクより後にカチオン性ポリマーを含む水性インクを吐出した比較例６及び９でも、目止め効果が発現せず、低温高湿の環境下においてトリカラーブラックパッチの彩度（Ｃ＊）に大きな変化が生じていた。
【産業上の利用可能性】
【００７２】
以上のように、本発明のインクジェット記録方法によれば、マイグレーションレベルの差が比較的大きな水性インク同士の組み合わせであっても、高湿環境下における二次色の記録部の色変化を抑制可能である。本発明のインクジェット記録方法の用途は、特に限定されず、各種のインクジェット記録装置に広く適用可能である。
【符号の説明】
【００７３】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
【図１】
0005751529.tif 000058
【図２】
0005751529.tif 000059